【手続補正書】
【提出日】令和2年3月10日(2020.3.10)
【手続補正１】
【補正対象書類名】明細書
【補正対象項目名】０００６
【補正方法】変更
【補正の内容】
【０００６】
第１の態様において、通信方法を提供し、セカンダリネットワークノードが前記セカンダリネットワークノードによりサービスを提供するセルのネットワーク状態を取得することと、前記セカンダリネットワークノードが前記セカンダリネットワークノードによりサービスを提供するセルのネットワーク状態に基づき、前記セカンダリネットワークノードによりサービスを提供するセルのネットワーク構成を更新することと、前記セカンダリネットワークノードが端末へ前記セカンダリネットワークノードによりサービスを提供するセルのネットワーク構成を更新する第１の更新構成情報を送信することと、を含む。
【手続補正２】
【補正対象書類名】明細書
【補正対象項目名】０００９
【補正方法】変更
【補正の内容】
【０００９】
第１の態様を参照すると、第１の態様の可能な実現方式では、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末との間が信号を転送する信号品質、前記セカンダリネットワークノードと前記端末とが接続されている接続状態、及び前記セカンダリネットワークノードと前記端末とが通信するリンクのリンク状態という情報のうちの少なくとも１種を含む。
【手続補正３】
【補正対象書類名】明細書
【補正対象項目名】００１５
【補正方法】変更
【補正の内容】
【００１５】
第１の態様を参照すると、第１の態様の可能な実現方式では、前記リンク状態は、前記セカンダリネットワークノードによりサービスを提供するセルと前記端末との間が信号を転送する信号品質を含み、前記セカンダリネットワークノードが前記リンク状態に基づき、前記セカンダリネットワークノードによりサービスを提供するセルと前記端末とが通信する前記リンクを更新することは、前記セカンダリネットワークノードが前記セカンダリネットワークノードによりサービスを提供するセルと前記端末との間が信号を転送する信号品質に基づき、前記信号を転送するリンクを更新することを含む。
【手続補正４】
【補正対象書類名】明細書
【補正対象項目名】００２４
【補正方法】変更
【補正の内容】
【００２４】
第１の態様を参照すると、第１の態様の可能な実現方式では、前記方法は、前記セカンダリネットワークノードがマスターネットワークノードへ前記セカンダリネットワークノードと前記端末との間の接続の再確立を指示する指示情報を送信することをさらに含む。
【手続補正５】
【補正対象書類名】明細書
【補正対象項目名】００３０
【補正方法】変更
【補正の内容】
【００３０】
第１の態様を参照すると、第１の態様の可能な実現方式では、前記方法は、前記セカンダリネットワークノードがマスターネットワークノードへ更新後の前記セカンダリネットワークノードのネットワーク構成を指示する第２の更新構成情報を送信することをさらに含む。
【手続補正６】
【補正対象書類名】明細書
【補正対象項目名】００３４
【補正方法】変更
【補正の内容】
【００３４】
第２の態様を参照すると、第２の態様の可能な実現方式では、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末との間が信号を転送する信号品質、前記セカンダリネットワークノードと前記端末との間が接続されている接続状態、及び前記セカンダリネットワークノードと前記端末との間が通信するリンクのリンク状態という情報のうちの少なくとも１種を含む。
【手続補正７】
【補正対象書類名】明細書
【補正対象項目名】００４０
【補正方法】変更
【補正の内容】
【００４０】
第２の態様を参照すると、第２の態様の可能な実現方式では、前記リンク状態は、前記セカンダリネットワークノードによりサービスを提供するセルと前記端末との間が信号を転送する信号品質を含む。
【手続補正８】
【補正対象書類名】明細書
【補正対象項目名】００５１
【補正方法】変更
【補正の内容】
【００５１】
第３の態様では、セカンダリネットワークノードを提供し、前記セカンダリネットワークノードは第１の態様の方法を実行するユニットを備える。
【手続補正９】
【補正対象書類名】明細書
【補正対象項目名】００５２
【補正方法】変更
【補正の内容】
【００５２】
第４の態様では、端末を提供し、前記端末は第２の態様の方法を実行するユニットを備える。
【手続補正１０】
【補正対象書類名】明細書
【補正対象項目名】００５６
【補正方法】変更
【補正の内容】
【００５６】
第８の態様では、コンピュータ可読媒体を提供し、前記コンピュータ可読媒体には、端末により実行された、第２の態様の方法を実行する命令を含むプログラムコードが記憶されている。
【手続補正１１】
【補正対象書類名】明細書
【補正対象項目名】００６０
【補正方法】変更
【補正の内容】
【００６０】
図１は、本願の実施形態に適用される無線通信システム１００を示す図である。該無線通信システム１００は、ネットワークノード１１０を備えてもよい。ネットワークノード１１０は、端末装置と通信する装置であってもよい。ネットワークノード１１０は特定の地理領域に通信カバレージを提供でき、且つ該カバレージ領域内に位置する端末装置と通信できる。
【手続補正１２】
【補正対象書類名】明細書
【補正対象項目名】００６３
【補正方法】変更
【補正の内容】
【００６３】
理解すべきなのは、本願の技術案は様々な通信システム、たとえば、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、長期進化型（Ｌｏｎｇ  Ｔｅｒｍ  Ｅｖｏｌｕｔｉｏｎ、ＬＴＥ）システム、進化型長期発展（Ａｄｖａｎｃｅｄ  ｌｏｎｇ  ｔｅｒｍ  ｅｖｏｌｕｔｉｏｎ、ＬＴＥ−Ａ）システム、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、新無線インタフェース（Ｎｅｗ  Ｒａｄｉｏ  Ａｃｃｅｓｓ  Ｔｅｃｈｎｏｌｏｇｙ、ＮＲ）、５Ｇ等に適用する。
【手続補正１３】
【補正対象書類名】明細書
【補正対象項目名】００７７
【補正方法】変更
【補正の内容】
【００７７】
選択肢として、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末が信号を転送する信号品質、及び前記セカンダリネットワークノードと前記端末との間が通信するリンクのリンク状態という情報のうちの少なくとも１種を含む。
【手続補正１４】
【補正対象書類名】明細書
【補正対象項目名】００９２
【補正方法】変更
【補正の内容】
【００９２】
選択肢として、一実施例として、前記リンク状態は、前記セカンダリネットワークノードによりサービスを提供するセルと前記端末との間が信号を転送する信号品質を含み、前記セカンダリネットワークノードが前記リンク状態に基づき、前記セカンダリネットワークノードによりサービスを提供するセルと前記端末とが通信する前記リンクを更新することは、前記セカンダリネットワークノードが前記セカンダリネットワークノードによりサービスを提供するセルと前記端末との間が信号を転送する信号品質に基づき、前記信号を転送するリンクを更新することを含む。
【手続補正１５】
【補正対象書類名】明細書
【補正対象項目名】００９５
【補正方法】変更
【補正の内容】
【００９５】
選択肢として、一実施例として、前記セカンダリネットワークノードは、前記セカンダリネットワークノードと前記端末とが接続する接続状態に基づいて接続の失敗を指示し、前記セカンダリネットワークノードが前記セカンダリネットワークノードと前記端末とが接続する接続状態に基づき、前記セカンダリネットワークノードによりサービスを提供するセルのネットワーク構成を更新することは、前記セカンダリネットワークノードが前記セカンダリネットワークノードと前記端末とが接続する接続状態に基づき、前記セカンダリネットワークノードと前記端末との接続をリリースすることを含み、前記セカンダリネットワークノードが前記端末へ前記セカンダリネットワークノードによりサービスを提供するセルのネットワーク構成を更新する前記第１の更新構成情報を送信することは、前記セカンダリネットワークノードが前記端末へ前記セカンダリネットワークノードと前記端末との接続をリリースする前記第１の更新構成情報を送信することを含む。
【手続補正１６】
【補正対象書類名】明細書
【補正対象項目名】０１１８
【補正方法】変更
【補正の内容】
【０１１８】
ステップ５３０、セカンダリネットワークノードは端末にセカンダリネットワークノードによりサービスを提供するセルを更新する第１の更新構成情報を端末へ更新する。
【手続補正１７】
【補正対象書類名】明細書
【補正対象項目名】０１１９
【補正方法】変更
【補正の内容】
【０１１９】
ステップ５４０、セカンダリネットワークノードはセカンダリネットワークノードによりサービスを提供するセルを更新する第２の更新構成情報をマスターネットワークノードへ送信する。
【手続補正１８】
【補正対象書類名】明細書
【補正対象項目名】０１２５
【補正方法】変更
【補正の内容】
【０１２５】
ステップ６３０、セカンダリネットワークノードは端末へ上記失敗した接続をリリースするように端末に指示する第１の更新構成情報を送信する。
【手続補正１９】
【補正対象書類名】明細書
【補正対象項目名】０１４７
【補正方法】変更
【補正の内容】
【０１４７】
選択肢として、一実施例として、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末との間が信号を転送する信号品質、前記セカンダリネットワークノードと前記端末とが接続されている接続状態、及び前記セカンダリネットワークノードと前記端末とが通信するリンクのリンク状態という情報のうちの少なくとも１種を含む。
【手続補正２０】
【補正対象書類名】明細書
【補正対象項目名】０１５１
【補正方法】変更
【補正の内容】
【０１５１】
選択肢として、一実施例として、前記リンク状態は、前記セカンダリネットワークノードによりサービスを提供するセルと前記端末との間が信号を転送する信号品質を含み、前記更新モジュールは、具体的には、前記セカンダリネットワークノードによりサービスを提供するセルと前記端末との間が信号を転送する信号品質に基づき、前記信号を転送するリンクを更新する。
【手続補正２１】
【補正対象書類名】明細書
【補正対象項目名】０１６４
【補正方法】変更
【補正の内容】
【０１６４】
選択肢として、一実施例として、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末との間が信号を転送する信号品質、前記セカンダリネットワークノードと前記端末とが接続されている接続状態、及び前記セカンダリネットワークノードと前記端末とが通信するリンクのリンク状態という情報のうちの少なくとも１種を含む。
【手続補正２２】
【補正対象書類名】明細書
【補正対象項目名】０１６８
【補正方法】変更
【補正の内容】
【０１６８】
選択肢として、一実施例として、前記リンク状態は、前記セカンダリネットワークノードによりサービスを提供するセルと前記端末との間が信号を転送する信号品質を含む。
【手続補正２３】
【補正対象書類名】明細書
【補正対象項目名】０１７５
【補正方法】変更
【補正の内容】
【０１７５】
図１０は本願の他の実施例によるセカンダリネットワークノードの概略構造図である。図１０に示されるセカンダリネットワークノード１０００は、メモリ１０１０、プロセッサ１０２０、入力／出力インタフェース１０３０、及び通信インタフェース１０４０を備える。メモリ１０１０、プロセッサ１０２０、入力／出力インタフェース１０３０、及び通信インタフェース１０４０は内部接続通路を介して接続され、該メモリ１０１０が命令を記憶し、該プロセッサ１０２０が該メモリ１０１０に記憶されている命令を実行し、入力／出力インタフェース１０３０を制御して入力したデータ及び情報を受信させ、操作結果等のデータを出力させ、且つ通信インタフェース１０４０を制御して信号を送信させる。
【手続補正２４】
【補正対象書類名】明細書
【補正対象項目名】０１７７
【補正方法】変更
【補正の内容】
【０１７７】
通信インタフェースは、端末へ前記セカンダリネットワークノードによりサービスを提供するセルのネットワーク構成を更新する第１の更新構成情報を送信する。
【手続補正２５】
【補正対象書類名】明細書
【補正対象項目名】０１８１
【補正方法】変更
【補正の内容】
【０１８１】
選択肢として、一実施例として、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末との間が信号を転送する信号品質、前記セカンダリネットワークノードと前記端末とが接続されている接続状態、及び前記セカンダリネットワークノードと前記端末とが通信するリンクのリンク状態という情報のうちの少なくとも１種を含む。
【手続補正２６】
【補正対象書類名】明細書
【補正対象項目名】０１８５
【補正方法】変更
【補正の内容】
【０１８５】
選択肢として、一実施例として、前記リンク状態は、前記セカンダリネットワークノードによりサービスを提供するセルと前記端末との間が信号を転送する信号品質を含み、前記プロセッサは、具体的には、前記セカンダリネットワークノードによりサービスを提供するセルと前記端末との間が信号を転送する信号品質に基づき、前記信号を転送するリンクを更新する。
【手続補正２７】
【補正対象書類名】明細書
【補正対象項目名】０２０１
【補正方法】変更
【補正の内容】
【０２０１】
選択肢として、一実施例として、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末との間が信号を転送する信号品質、前記セカンダリネットワークノードと前記端末とが接続されている接続状態、及び前記セカンダリネットワークノードと前記端末とが通信するリンクのリンク状態という情報のうちの少なくとも１種を含む。
【手続補正２８】
【補正対象書類名】明細書
【補正対象項目名】０２０５
【補正方法】変更
【補正の内容】
【０２０５】
選択肢として、一実施例として、前記リンク状態は、前記セカンダリネットワークノードによりサービスを提供するセルと前記端末との間が信号を転送する信号品質を含む。
【手続補正２９】
【補正対象書類名】明細書
【補正対象項目名】０２１０
【補正方法】変更
【補正の内容】
【０２１０】
選択肢として、一実施例として、前記セカンダリネットワークノードによりサービスを提供するマスターセルは第１のセルであり、前記通信インタフェースは、具体的には、前記セカンダリネットワークノードにより送信された、前記マスターセルを前記第１のセルから第２のセルにハンドオーバーする前記第１の更新構成情報を受信し、前記第２のセルは前記セカンダリネットワークノードによりサービスを提供するセルのうちの前記第１のセルを除くセルであり、前記通信モジュールは、具体的には、前記第１の更新構成情報が指示する前記第２のセルを介して前記セカンダリネットワークノードと通信する。
【手続補正３０】
【補正対象書類名】特許請求の範囲
【補正対象項目名】全文
【補正方法】変更
【補正の内容】
【特許請求の範囲】
【請求項１】
通信方法であって、
セカンダリネットワークノードが前記セカンダリネットワークノードによりサービスを提供するセルのネットワーク状態を取得することと、
前記セカンダリネットワークノードが前記セカンダリネットワークノードによりサービスを提供するセルのネットワーク状態に基づき、前記セカンダリネットワークノードによりサービスを提供するセルのネットワーク構成を更新することと、
前記セカンダリネットワークノードが端末へ前記セカンダリネットワークノードによりサービスを提供するセルのネットワーク構成を更新する第１の更新構成情報を送信することと、を含むことを特徴とする通信方法。
【請求項２】
前記セカンダリネットワークノードによりサービスを提供するセルのネットワーク状態は、
前記セカンダリネットワークノードによりサービスを提供するセルの輻輳状態、
前記端末が前記セカンダリネットワークノードを介して転送しようとする転送待ちデータ量、
前記端末の転送待ちデータを転送する前記セカンダリネットワークノードによりサービスを提供するセルのベアラの状態、
前記セカンダリネットワークノードによりサービスを提供するセルと前記端末との間が信号を転送する信号品質、
前記セカンダリネットワークノードと前記端末とが接続されている接続状態、
及び前記セカンダリネットワークノードと前記端末とが通信するリンクのリンク状態という情報のうちの少なくとも１種を含むことを特徴とする請求項１に記載の方法。
【請求項３】
前記セカンダリネットワークノードが前記セカンダリネットワークノードによりサービスを提供するセルのネットワーク状態に基づき、前記セカンダリネットワークノードによりサービスを提供するセルのネットワーク構成を更新することは、
前記セカンダリネットワークノードが前記セカンダリネットワークノードによりサービスを提供するセルのネットワーク状態に基づき、前記セカンダリネットワークノードによりサービスを提供するセルを更新することを含み、
前記セカンダリネットワークノードが前記端末へ前記セカンダリネットワークノードによりサービスを提供するセルのネットワーク構成を更新する第１の更新構成情報を送信することは、
前記セカンダリネットワークノードが前記端末へ前記セカンダリネットワークノードによりサービスを提供するセルを更新する前記第１の更新構成情報を送信することを含むことを特徴とする請求項１又は２に記載の方法。
【請求項４】
前記セカンダリネットワークノードが前記セカンダリネットワークノードによりサービスを提供するセルのネットワーク状態に基づき、前記セカンダリネットワークノードによりサービスを提供するセルを更新することは、
前記セカンダリネットワークノードによりサービスを提供するセルを追加又は削除することを含むことを特徴とする請求項３に記載の方法。
【請求項５】
前記第１の更新構成情報には追加又は削除した前記セカンダリネットワークノードによりサービスを提供するセルのセルＩＤが含められ、又は、前記第１の更新構成情報には更新後の前記セカンダリネットワークノードによりサービスを提供するすべてのセルのセルＩＤが含められることを特徴とする請求項１−４のいずれか１項に記載の方法。
【請求項６】
通信方法であって、
端末がセカンダリネットワークノードにより送信された、前記セカンダリネットワークノードによりサービスを提供するセルのネットワーク構成を更新する第１の更新構成情報を受信することと、
前記端末が前記第１の更新構成情報に基づいて前記セカンダリネットワークノードと通信することと、を含むことを特徴とする通信方法。
【請求項７】
前記セカンダリネットワークノードによりサービスを提供するセルのネットワーク構成は、前記セカンダリネットワークノードが前記セカンダリネットワークノードによりサービスを提供するセルのネットワーク状態に基づいて更新されることを特徴とする請求項６に記載の方法。
【請求項８】
前記セカンダリネットワークノードによりサービスを提供するセルのネットワーク状態は、
前記セカンダリネットワークノードによりサービスを提供するセルの輻輳状態、
前記端末が前記セカンダリネットワークノードを介して転送しようとする転送待ちデータ量、
前記端末の転送待ちデータを転送する前記セカンダリネットワークノードによりサービスを提供するセルのベアラの状態、
前記セカンダリネットワークノードによりサービスを提供するセルと前記端末との間が信号を転送する信号品質、
前記セカンダリネットワークノードと前記端末とが接続されている接続状態、
及び前記セカンダリネットワークノードと前記端末とが通信するリンクのリンク状態という情報のうちの少なくとも１種を含むことを特徴とする請求項７に記載の方法。
【請求項９】
前記端末がセカンダリネットワークノードにより送信された第１の更新構成情報を受信することは、
前記端末が前記セカンダリネットワークノードにより送信された、前記セカンダリネットワークノードによりサービスを提供するセルを更新する第１の更新構成情報を受信することを含み、
前記端末が前記第１の更新構成情報に基づいて前記セカンダリネットワークノードと通信することは、
前記端末が前記第１の更新構成情報に基づいて、更新後の前記セカンダリネットワークノードによりサービスを提供するセルを確定することと、
前記端末が前記更新後の前記セカンダリネットワークノードによりサービスを提供するセルを介して前記セカンダリネットワークノードと通信することと、を含むことを特徴とする請求項６−８のいずれか１項に記載の方法。
【請求項１０】
前記第１の更新構成情報は具体的に、前記セカンダリネットワークノードによりサービスを提供するセルを追加又は削除することに用いられることを特徴とする請求項９に記載の方法。
【請求項１１】
前記第１の更新構成情報には追加又は削除した前記セカンダリネットワークノードによりサービスを提供するセルのセルＩＤが含められ、又は、前記第１の更新構成情報には更新後の前記セカンダリネットワークノードによりサービスを提供するすべてのセルのセルＩＤが含められることを特徴とする請求項６−１０のいずれか１項に記載の方法。
【請求項１２】
セカンダリネットワークノードであって、
前記セカンダリネットワークノードによりサービスを提供するセルのネットワーク状態を取得する取得モジュールと、
前記セカンダリネットワークノードによりサービスを提供するセルのネットワーク状態に基づき、前記セカンダリネットワークノードによりサービスを提供するセルのネットワーク構成を更新する更新モジュールと、
前記端末へ前記セカンダリネットワークノードによりサービスを提供するセルのネットワーク構成を更新する第１の更新構成情報を送信する送信モジュールと、を備えることを特徴とするセカンダリネットワークノード。
【請求項１３】
前記セカンダリネットワークノードによりサービスを提供するセルのネットワーク状態は、
前記セカンダリネットワークノードによりサービスを提供するセルの輻輳状態、
前記端末が前記セカンダリネットワークノードを介して転送しようとする転送待ちデータ量、
前記端末の転送待ちデータを転送する前記セカンダリネットワークノードによりサービスを提供するセルのベアラの状態、
前記セカンダリネットワークノードによりサービスを提供するセルと前記端末との間が信号を転送する信号品質、
前記セカンダリネットワークノードと前記端末とが接続されている接続状態、
及び前記セカンダリネットワークノードと前記端末とが通信するリンクのリンク状態という情報のうちの少なくとも１種を含むことを特徴とする請求項１２に記載のセカンダリネットワークノード。
【請求項１４】
前記更新モジュールは、具体的には、
前記セカンダリネットワークノードによりサービスを提供するセルのネットワーク状態に基づき、前記セカンダリネットワークノードによりサービスを提供するセルを更新し、
前記送信モジュールは、具体的には、
前記端末へ前記セカンダリネットワークノードによりサービスを提供するセルを更新する前記第１の更新構成情報を送信することを特徴とする請求項１２又は１３に記載のセカンダリネットワークノード。
【請求項１５】
前記第１の更新構成情報は具体的に、前記セカンダリネットワークノードによりサービスを提供するセルを追加又は削除することに用いられることを特徴とする請求項１４に記載の方法。
【請求項１６】
前記第１の更新構成情報には追加又は削除した前記セカンダリネットワークノードによりサービスを提供するセルのセルＩＤが含められ、又は、前記第１の更新構成情報には更新後の前記セカンダリネットワークノードによりサービスを提供するすべてのセルのセルＩＤが含められることを特徴とする請求項１２−１５のいずれか１項に記載の方法。
【請求項１７】
端末であって、
セカンダリネットワークノードにより送信された、前記セカンダリネットワークノードによりサービスを提供するセルのネットワーク構成を更新する第１の更新構成情報を受信する受信モジュールと、
前記第１の更新構成情報に基づいて前記セカンダリネットワークノードと通信する通信モジュールと、を備えることを特徴とする端末。
【請求項１８】
前記セカンダリネットワークノードによりサービスを提供するセルのネットワーク構成は、前記セカンダリネットワークノードが前記セカンダリネットワークノードによりサービスを提供するセルのネットワーク状態に基づいて更新されることを特徴とする請求項１７に記載の方法。
【請求項１９】
前記セカンダリネットワークノードによりサービスを提供するセルのネットワーク状態は、
前記セカンダリネットワークノードによりサービスを提供するセルの輻輳状態、
前記端末が前記セカンダリネットワークノードを介して転送しようとする転送待ちデータ量、
前記端末の転送待ちデータを転送する前記セカンダリネットワークノードによりサービスを提供するセルのベアラの状態、
前記セカンダリネットワークノードによりサービスを提供するセルと前記端末との間が信号を転送する信号品質、
前記セカンダリネットワークノードと前記端末とが接続されている接続状態、
及び前記セカンダリネットワークノードと前記端末とが通信するリンクのリンク状態という情報のうちの少なくとも１種を含むことを特徴とする請求項１８に記載の端末。
【請求項２０】
前記受信モジュールは、具体的には、
前記セカンダリネットワークノードにより送信された、前記セカンダリネットワークノードによりサービスを提供するセルを更新する第１の更新構成情報を受信し、
前記通信モジュールは、具体的には、
前記第１の更新構成情報に基づいて、更新後の前記セカンダリネットワークノードによりサービスを提供するセルを確定し、
前記更新後の前記セカンダリネットワークノードによりサービスを提供するセルを介して前記セカンダリネットワークノードと通信することを特徴とする請求項１７−１９のいずれか１項に記載の端末。
【請求項２１】
前記第１の更新構成情報は具体的に、前記セカンダリネットワークノードによりサービスを提供するセルを追加又は削除することに用いられることを特徴とする請求項２０に記載の方法。
【請求項２２】
前記第１の更新構成情報には追加又は削除した前記セカンダリネットワークノードによりサービスを提供するセルのセルＩＤが含められ、又は、前記第１の更新構成情報には更新後の前記セカンダリネットワークノードによりサービスを提供するすべてのセルのセルＩＤが含められることを特徴とする請求項１７−２１のいずれか１項に記載の方法。
【手続補正３１】
【補正対象書類名】図面
【補正対象項目名】図５
【補正方法】変更
【補正の内容】
【図５】
2020511844.tif 000001
【手続補正３２】
【補正対象書類名】図面
【補正対象項目名】図６
【補正方法】変更
【補正の内容】
【図６】
2020511844.tif 000002
【手続補正３３】
【補正対象書類名】図面
【補正対象項目名】図７
【補正方法】変更
【補正の内容】
【図７】
2020511844.tif 000003